(57)【要約】      （修正有）【解決手段】トリプルフック３１をフック取付部３に取り付けるルアー１であって、ルアー１の本体１１の両側に、本体１１から突出する突出部２２と、該突出部２２の後端から延長する延長部２３と、延長部２３と本体１１との間で開放する開放部２４とからなるフック保持体２１を有するとともに、本体１１にフック保持孔を有する。【効果】トリプルフックをフック保持体に保持させることができ、さらに延長部と本体との間でフックを挟持することでフックの遊動を防止することができ、本体内にフックを挿入固定することもでき、フックの遊動を防ぐ保持方式を適宜選択して使用することが可能になる。【選択図】図１
0003210806.tif 000002
【実用新案登録請求の範囲】
【請求項１】
フックを取り付けるルアーであって、
少なくともフック取付部の後方に、前記ルアーの本体の両側にあって、前記本体から外方へ突出する突出部と、下方から上方へ開放空間を有する開放部と、を有するフック保持体を有することを特徴とするルアー。
【請求項２】
フック保持体は、突出部と、突出部の後端から後方へ延長した延長部と、延長部と本体との間に形成された開放部とからなることを特徴とする請求項１に記載のルアー。
【請求項３】
本体の底面に、フックを挿入保持するフック保持孔を有することを特徴とする請求項１または２のいずれかに記載のルアー。
【請求項４】
本体は、長手方向中央から前方の肉厚部分と、前記中央から後方の肉薄部分とからなり、
本体前方にハリス取付部を有し、前記ルアー後端にその長手方向と直交する受面を有することを特徴とする請求項１、２または３のいずれかに記載のルアー。
【考案の詳細な説明】
【技術分野】
【０００１】
本考案は、釣り用のルアーであって、当該ルアーに取り付けるトリプルフックの使用時における遊動を防止するため保持体を有するものに関する。
【背景技術】
【０００２】
従来から用いられてきたトリプルフックを使用するルアーは、通常時ではルアーからトリプルフックが垂れ下がるように取付環により保持される（特許文献１）。この場合、使用時ではトリプルフックや針が水中で遊動する。
【０００３】
また、針がルアーから遊動することを防ぐために、ルアーに釣針連結具を取り付けたものも存在する（特許文献２）。
【０００４】
しかし、特許文献２に記載の技術は、複数の部材を用いて遊動を防ぐもので簡単な構成で遊動を防ぐものではなかった。また、ルアーフィッシングを楽しむものは、さまざまな使用形態を試して釣りを行うため、単一の保持形態以外のルアーが求められてきた。
【先行技術文献】
【特許文献】
【０００５】
【特許文献１】特開平７−３２７５５０号公報
【特許文献２】特開２０１２−１２５１８２号公報
【考案の概要】
【考案が解決しようとする課題】
【０００６】
そこで、トリプルフック等の針の遊動を抑えられる保持部を有し、簡単な構成でさまざまな使用形態を用いることができるルアーが望まれていた。
【課題を解決するための手段】
【０００７】
上記課題を解決するため、本考案のルアーは、フックを取り付けるルアーであって、少なくともフック取付部の後方に、前記ルアーの本体の両側にあって、前記本体から外方へ突出する突出部と、下方から上方へ開放空間を有する開放部と、を有するフック保持体を有することを特徴とする。
【０００８】
また、フック保持体は、突出部と、突出部の後端から後方へ延長した延長部と、延長部と本体との間に形成された開放部とからなることが好ましい。
【０００９】
また、本体の底面に、フックを挿入保持するフック保持孔を有することが好ましい。
【００１０】
また、本体は、長手方向中央から前方の肉厚部分と、前記中央から後方の肉薄部分とからなり、本体前方にハリス取付部を有し、前記ルアー後端にその長手方向と直交する受面を有することが好ましい。
【考案の効果】
【００１１】
請求項１に記載の考案によって、三本針、トリプルフックをフック保持体に保持させることができ、使用時にフックの遊動を防止することができる。
【００１２】
請求項２に記載の考案よって、延長部と本体との間でフックを挟持することで、より強固に使用時のフックの遊動を防止することができる。
【００１３】
請求項３に記載の考案によって、本体内にフックを挿入固定することもでき、フックの遊動を防ぐ保持方式を適宜選択して使用することが可能になる。
【００１４】
請求項４に記載の考案によって、本体の肉薄部分を水圧で動かすことができ、より生きた魚のような動きを可能にする。
【図面の簡単な説明】
【００１５】
【図１】第１実施形態に係る本考案のルアーにトリプルフックを取り付けた状態を示す右側面図である。
【図２】第１実施形態に係る本考案のルアーにトリプルフックを取り付けた状態を示す底面図である。
【図３】第１実施形態に係る本考案のルアーであって、トリプルフックを取り付けていない状態を示す底面図である。
【図４】第１実施形態に係る本考案のルアーにトリプルフックを取り付けた正面概略図であり、（ａ）は２つのフック保持体に２本のフックを保持させた状態、（ｂ）は１つのフック保持孔に１本のフックを挿入保持させた状態を示す。
【図５】第２実施形態に係る本考案のルアーにトリプルフックを取り付けた状態を示す右側面図である。
【図６】第２実施形態に係る本考案のルアーにトリプルフックを取り付けた状態を示す底面図である。
【図７】第２実施形態に係る本考案のルアーであって、トリプルフックを取り付けていない状態を示す底面図である。
【図８】第２実施形態に係る本考案のルアーにトリプルフックを取り付けた正面概略図であり、（ａ）は２つのフック保持体に２本のフックを保持させた状態、（ｂ）は１つフック保持孔に１本のフックを挿入保持させた状態、（ｃ）は１つのフック保持孔に１本のフックを挿入保持させつつ、２つのフック保持体に２本のフックを保持させた状態を示す。
【考案を実施するための形態】
【００１６】
本考案の実施の形態について、図面に沿って説明する。図１〜３は、本考案の第１の実施形態によるルアー１を、図５〜７は第２の実施形態によるルアー１を示し、図４及び図８はルアー１にフックを保持させた状態の概略図である。本説明において、魚を模した形態のルアーの頭方向を前方（先端）、尾方向を後方（後端）とし、背びれ部１２がある方向を上方向、トリプルフック３１がある方向を下方向として説明する。
【００１７】
図１に示すように、ルアー１は、その先端にハリス取付部である取付環２を有する。また、ルアー１の下方にはその長手方向やや前方よりの位置、胸びれ部１４、１４の前方側かつ下方側にフック取付部である取付環３を有する。使用時にはハリスの取付環２に釣り竿からのハリスを巻き付け、フックの取付環３にトリプルフック３１を取り付けて使用する。
【００１８】
ルアー１は、塩化ビニル等の軟質性樹脂で成型された魚を模した形態である。具体的には、所定の長さを有する本体１１と、その本体１１の上部に薄肉で形成する背びれ部１２、その本体１１の後端に尾びれ部１３、その本体１１の両側方に胸びれ部１４、１４が形成され、本体１１の前方は魚を模した顔が形成される。なお、本体１１の底面は略平面状となっており、トリプルフックの固定やルアー１をルアーボックス内に保管しやすくしてある（図４、８参照）。
【００１９】
本体１１は、先端から中央部分の背びれ部１２までの間は厚手の肉厚とする肉厚部分Ａとし、背びれ部１２付近から徐々に肉薄にし、本体１１の中央部分から尾びれ部１３のある後端までは薄手の肉厚である肉薄部分Ｂとする。肉厚部分Ａに比べて肉薄部分Ｂは、その高さ方向幅も狭くしてある。これにより、本体１１は、使用時に、前方（肉厚部分Ａ）に比して後方（肉薄部分Ｂ）が遊動しやすくなっている。
【００２０】
本体１１の肉厚部分Ａに配置され、先端に取り付けられたハリスの取付環２と、下方に取り付けられたフックの取付環３とは、本体１１の内部で連結金具４により連結されている。当該連結金具４は本体１１の内部においてその高さ方向にかけて縦断している。肉厚部分Ａに当該連結金具４を配置することで、本体１１の頭部分で所定の強度を有することができる。
【００２１】
尾びれ部１３は、略円形状であり、本体１１の長手方向と対向する受面を有する。この受面となる尾びれ部１３は、本体１１の長手方向と正確に直交して対向するものではなく、若干下方に傾斜している。受面となる尾びれ部１３は必ずしも略円形状である必要はなく、所定面積の部分を有しておれば、方形状やその他の形態であってもよい。
【００２２】
上記のとおり、本体１１は、軟質性の樹脂からなる魚を模した形態をとりつつ、頭部分となる前方が肉厚で、尾部分となる後方が肉薄となり、後端に長手方向と対向する受面を有する背びれ部１３を有することで、使用時に水中で、水の圧力を受け、肉薄部分Ｂが肉厚部分Ａに比して大きく動き、本体１１が生きた魚のような動きをすることが可能になる。
【００２３】
ルアー１は、下方のフックの取付環３にトリプルフック３１を取り付ける。具体的には、ルアー１のフックの取付環３にリング３２、１または複数のサルカン３３、３３、リング３２を介して、トリプルフックの取付環を取り付ける。このようにリング３２、３２とサルカン３３、３３とを２つずつ併用することで、トリプルフック３１が自由に回動することが可能になり、後述のフック保持体２１、２１にセットし易くすることができる。
【００２４】
図１、２、３に示すように、ルアー１の本体１１には、その両側方であって、中央部分のやや下方寄りに、魚の腹鰭のような形状のフック保持体２１、２１が配置される。このフック保持体２１、２１は、本体１１の中央部分であり肉厚部分Ａの後端付近から外方へ所定の厚みを有して突出する突出部２２、２２、この突出部２２、２２の後端の一部から、さらに後方へ延長した延長部２３、２３を有している。延長部２３、２３は本体１１の肉薄部分と接続していないために、この延長部２３、２３と本体１１との間に、下方から上方に向けて開放された開放部２４、２４を有する。
【００２５】
突出部２２、２２は、所定の厚みを有し、具体的にはトリプルフック３１の個別フック３４ａ、３４ｂ、３４ｃの軸の直径よりも３〜５倍程度の厚みがある。突出部２２、２２の先端から後端までの長さは、少なくともトリプルフック３１の個別フック３４ａ、３４ｂ、３４ｃの湾曲部分の最下位の位置から針先までの長さよりは長いものとする。また、突出部２２、２２の突出長さは、トリプルフックの軸と針先間の長さの約半分程度の長さとしてある。
【００２６】
延長部２３、２３は外方に突出した突出部２２、２２の後端から後方へ、しかもその後端の一部から延長されているが、その全部を延長させてもよい。延長部２３、２３が本体１１と接続していないことから、当該延長部２３、２３と本体１１との間が、後方に向けて開放する開放部２４、２４となる。開放部２４、２４はフック保持体２１、２１を開孔してもよいが、本実施形態における形態によると、後方に向けて開放していることで、トリプルフック３１を後方に引っ張り、延長部２３、２３を撓ませて、開放部２４、２４に位置するようにすることができ、トリプルフック３１を保持させ易くしてある。
【００２７】
本体１１の下方にあるフックの取付環３にリング３２、３２とサルカン３３、３３を介して取り付けられたトリプルフック３１は、その取付環３の後方に位置するフック保持体２１、２１に保持することができる。これは、個別フック３４ａ、３４ｂ、３４ｃのいずれかを、開放部２４、２４の下方から上方に通し、その針先を突出部２２、２２の上面に載せるように保持させる。このとき、リング３２、３２やサルカン３３、３３の選択により、個別フック３４ａ、３４ｂ、３４ｃの湾曲部の最下点が開放部２４、２４の最も前方側であって、突出部２２、２２の後端に位置させることが好ましい。
【００２８】
この場合、図４（ａ）に示すように、残り１本の個別フック３４ｃは、ルアー１の真下に向かって湾曲するように位置する。このように、トリプルフック３１を保持することで、フックの遊動を防止し、腹びれ状となった２つのフック保持体２１、２１により針先をターゲットから隠すことも可能となる。
【００２９】
図３に示すように、本体１１には、その下方を開孔した１つのフック保持孔１５が形成されている。このフック保持孔１５は、３本の個別フック３４ａ、３４ｂ、３４ｃのうち１本の個別フック３４ａを突き刺して固定することができる。図４（ｂ）に示すように、この使用状態では、ルアー１の下方から放射方向に向かって２本の個別フック３４ｂ、３４ｃが湾曲するように位置する。
【００３０】
図５〜８に本考案の第２の実施形態を示す。この実施形態によると、第１の実施形態と異なり、腹びれ状となる２つのフック保持体４１、４１が本体１１の両側であって、より底面側に取り付けられている。２つのフック保持体４１、４１が、突出部４２、４２、延長部４３、４３、開放部４４、４４からなることは第１の実施形態と同じである。
【００３１】
第２の実施形態によると、図８（ｃ）に示すように、３本の個別フック３４ａ、３４ｂ、３４ｃのうち、１本の個別フック３４ａを１つのフック保持孔１５に挿入し、その他２本の個別フック３４ｂ、３４ｃを２つのフック保持体４１、４１の開放部４４、４４から通して突出部４２、４２の上面に針先を載せるように保持することができる。第２の実施形態の２つのフック保持体４１、４１は、第１実施形態に比してトリプルフック３１側に位置するため、保持された２本の個別フック３４ｂ、３４ｃの針先の湾曲部側の位置で保持することとなる。この場合には、トリプルフック３１のほとんどがルアー１に隠れることとなり、ターゲットに見つかり難い使用形態とすることができる。
【００３２】
また、図８（ａ）に示すように、第１の実施形態と同じく、２本の個別フック３４ａ、３４ｂを２つのフック保持体４１、４１に保持させ、残りの個別フック３４ｃを本体１１から真下方向に湾曲するようにしたり、図８（ｂ）に示すように、１つのフック保持孔１５に１本の個別フック３４ａを挿入し、残り２本の個別フック３４ｂ、３４ｃを２つのフック保持部４１、４１に保持させずにルアー１の本体１１の下方から放射方向に湾曲するようにすることができる。
【００３３】
上記のとおり、本考案のルアー１によると、トリプルフック３１を遊動しないように保持することが可能であるのみならず、いずれの保持とするか使用者が選択することが可能になる。また、フック保持部により、フックの大部分を隠し、ターゲットに見つからないようにすることができる。
【符号の説明】
【００３４】
１…ルアー
２…取付環（ハリス取付部）
３…取付環（フック取付部）
１１…本体
１３…尾びれ部（受面）
１５…フック保持孔
２１…フック保持体
２２…突出部
２３…延長部
２４…開放部
３１…トリプルフック
４１…フック保持体
４２…突出部
４３…延長部
４４…開放部
Ａ…肉厚部分
Ｂ…肉薄部分
【図１】
0003210806.tif 000003
【図２】
0003210806.tif 000004
【図３】
0003210806.tif 000005
【図４】
0003210806.tif 000006
【図５】
0003210806.tif 000007
【図６】
0003210806.tif 000008
【図７】
0003210806.tif 000009
【図８】
0003210806.tif 000010